(57)【要約】【課題】埋込みシステムで容易に具現可能なサムネールイメージブラウジング方法を提供しようとする。【解決手段】本発明によれば、元来のイメージ（オリジナルイメージ）を受信する過程と、元来のイメージに同期化されるサムネールイメージを生成する過程と、イメージブラウジングが実行されると、前記生成されたサムネールイメージをディスプレイする過程と、を順次行う移動通信端末機のサムネールイメージブラウジング方法を提供する。【選択図】　図１
2004004726.tif 000002
【特許請求の範囲】
【請求項１】
元来のイメージを受信する過程と、
元来のイメージに同期化されるサムネールイメージを生成する過程と、
イメージブラウジングが実行されると、前記生成されたサムネールイメージをディスプレイする過程と、を順次行うことを特徴とする移動通信端末機のサムネールイメージブラウジング方法。
【請求項２】
上記ディスプレイされたサムネールイメージが選択されると、元来のイメージをディスプレイする過程が追加して行われることを特徴とする請求項１記載の移動通信端末機のサムネールイメージブラウジング方法。
【請求項３】
上記同期化は、イメージの生成、移動及び消滅に対する同期化を示すことを特徴とする請求項１記載の移動通信端末機のサムネールイメージブラウジング方法。
【請求項４】
上記同期化は、格納ファイル及び格納ディレクトリに対する同期化を示すことを特徴とする請求項３記載の移動通信端末機のサムネールイメージブラウジング方法。
【請求項５】
上記サムネールイメージは、所定の模様及び大きさを有することを特徴とする請求項１記載の移動通信端末機のサムネールイメージブラウジング方法。
【請求項６】
上記所定の模様は、正四角形であることを特徴とする請求項５記載の移動通信端末機のサムネールイメージブラウジング方法。
【請求項７】
上記サムネールイメージの生成過程は、
元来のイメージをメーンディレクトリに格納する過程と、
該メーンディレクトリのサブディレクトリにサムネールイメージが存在するかをチェックする過程と、
サムネールイメージが存在しないと、元来のイメージから正四角形のサムネールイメージを生成する過程と、
生成されたサムネールイメージをサブディレクトリに格納する過程と、を順次行うことを特徴とする請求項１記載の移動通信端末機のサムネールイメージブラウジング方法。
【請求項８】
上記サブディレクトリにサムネールイメージが存在すると、重畳格納を行うかを聞くメッセージをディスプレイする過程と、
使用者から重畳格納命令が入力されると、新しいサムネールイメージを生成してサブディレクトリに格納する過程と、が追加して包含されることを特徴とする請求項７記載の移動通信端末機のサムネールイメージブラウジング方法。
【請求項９】
上記元来のイメージが０．０５Ｙ＜（Ｙ−Ｘ）の場合は、上方側から５％を切断し、残りの必要な部分を下方側から切断して正四角形のサムネールイメージを生成する（ここで、Ｘは横を、Ｙは縦を夫々示す）ことを特徴とする請求項７記載の移動通信端末機のサムネールイメージブラウジング方法。
【請求項１０】
上記元来のイメージが０．０５Ｙ＞（Ｙ−Ｘ）の場合は、下方側を切断して正四角形のサムネールイメージを生成する（ここで、Ｘは横を、Ｙは縦を夫々示す）ことを特徴とする請求項７記載の移動通信端末機のサムネールイメージブラウジング方法。
【請求項１１】
上記サムネールイメージディスプレイ過程は、
イメージブラウジングを実行する元来のイメージファイルをメーンディレクトリから選択する過程と、
選択された元来のイメージファイルに対するサムネールファイルがサブディレクトリに存在するかをチェックする過程と、
サムネールファイルが存在すると、該当のサムネールファイルをデコーディングしてサムネールイメージをディスプレイする過程と、を順次行うことを特徴とする請求項１記載の移動通信端末機のサムネールイメージブラウジング方法。
【請求項１２】
上記サムネールファイルが存在しないと、新しいサムネールイメージを生成してサブディレクトリに格納する過程が追加して包含されることを特徴とする請求項１１記載の移動通信端末機のサムネールイメージブラウジング方法。
【請求項１３】
受信された元来のイメージをメーンディレクトリに格納する過程と、
元来のイメージからサムネールイメージを生成してサブディレクトリに格納する過程と、
イメージブラウジングが実行されると、サブディレクトリに格納されたサムネールイメージをディスプレイする過程と、
サムネールイメージが選択されると、メーンディレクトリに格納された元来のイメージをディスプレイする過程と、を順次行うことを特徴とする移動通信端末機のサムネールイメージブラウジング方法。
【請求項１４】
上記サムネールイメージは、元来のイメージが生成、移動及び消滅されると、自動に生成、移動及び消滅されることを特徴とする請求項１３記載の移動通信端末機のサムネールイメージブラウジング方法。
【請求項１５】
上記サムネールイメージは、所定の模様及び大きさを有することを特徴とする請求項１３記載の移動通信端末機のサムネールイメージブラウジング方法。
【請求項１６】
上記所定の模様は、正四角形であることを特徴とする請求項１５記載の移動通信端末機のサムネールイメージブラウジング方法。
【請求項１７】
上記サムネールイメージ格納過程は、
元来のイメージをメーンディレクトリに格納する過程と、
前記メーンディレクトリのサブディレクトリにサムネールイメージが存在するかをチェックする過程と、
サムネールイメージが存在しないと、元来のイメージから正四角形のサムネールイメージを生成する過程と、
該生成されたサムネールイメージをサブディレクトリに格納する過程と、を順次行うことを特徴とする請求項１３記載の移動通信端末機のサムネールイメージブラウジング方法。
【請求項１８】
上記サブディレクトリにサムネールイメージが存在すると、重畳格納をすべきかを問うメッセージをディスプレイする過程と、
重畳格納命令が入力されると、新しいサムネールイメージを生成して前記サブディレクトリに格納する過程と、が追加して包含されることを特徴とする請求項１７記載の移動通信端末機のサムネールイメージブラウジング方法。
【請求項１９】
上記サムネールイメージディスプレイ過程は、
メーンディレクトリでイメージブラウジングを実行する元来のイメージファイルを選択する過程と、
該選択された元来のイメージファイルのサムネールファイルがサブディレクトリに存在するかをチェックする過程と、
サムネールファイルが存在すると、該当サムネールファイルをデコーディングしてサムネールイメージをディスプレイする過程と、を順次行うことを特徴とする請求項１３記載の移動通信端末機のサムネールイメージブラウジング方法。
【請求項２０】
上記サムネールファイルが存在しないと、新しいサムネールイメージを生成してサブディレクトリに格納する過程が追加して包含されることを特徴とする請求項１９記載の移動通信端末機のサムネールイメージブラウジング方法。
【発明の詳細な説明】
【０００１】
【発明の属する技術分野】
本発明は、移動通信端末機に係るもので、詳しくは、移動通信端末機のサムネール（Ｔｈｕｍｂ　ｎａｉｌ）イメージブラウジング方法に関するものである。
【０００２】
【従来の技術】
一般に、パーソナルコンピュータ（Ｐｅｒｓｏｎａｌ　Ｃｏｍｐｕｔｅｒ；以下、ＰＣと略称す）のイメージビューア（Ｖｉｅｗｅｒ）又はファイルブラウザ（Ｂｒｏｗｓｅｒ）には、イメージファイル（元来のイメージ（オリジナルイメージ））を小さいサイズとしてのサムネールのイメージに表示する機能があるが、これを通常、サムネールイメージブラウジングという。
【０００３】
従って、ウェブページ又はクライアントシステムにより実行されるプログラム上で使用者がサムネールイメージブラウジングを実行すると、イメージビューア（又はファイルブラウザ）は、圧縮イメージをデコーディングして元来（ｏｒｉｇｉｎａｌ）のイメージを生成して、再び元来のイメージからサムネールイメージを生成して画面にディスプレイすることができる。
【０００４】
【発明が解決しようとする課題】
然るに、このような従来サムネールイメージブラウジング方法においては、大きい画面、強力な処理能力を有したＣＰＵ及び多様なリソース（Ｒｅｓｏｕｒｃｅ）が備えられたＰＣ上では、無理なく遂行することができるが、移動通信端末機のように全てのリソースが制限的な埋込み（Ｅｍｂｅｄｅｄ）システムでは、次のような不都合な点があった。
【０００５】
先ず、従来のサムネールイメージブラウジング方法は、イメージブラウジングの時、圧縮されたイメージをデコーディングして元来のイメージを生成した後、再び元来のイメージからサムネールイメージを生成するために、ＰＣ上でもサムネールイメージの生成速度は、目で確認することができる程度に非常に遅い。従って、複数のイメージをブラウジングする場合には、サムネールイメージの生成速度が一層遅くなるために、従来のサムネールイメージブラウジング方法を移動通信端末機に適用することは実質的に不可能であるという不都合な点があった。
【０００６】
又、従来のサムネールイメージブラウジング方法は、サムネールイメージの横及び縦の大きさの最大値を定めた後、何れか一方の大きさに合せてサムネールイメージを生成するため、図５に示したように、横と縦との比率差が大きい元来のイメージから生成されたサムネールイメージ５０は、他のサムネールイメージとよく似合わないだけでなく、確認することも難しいという不都合な点があった。
【０００７】
又、一般のサムネールイメージは、元来のイメージと同様な大きさの割合で作られるが、元来のイメージは相互相違な大きさを有するために、元来のイメージから生成されたサムネールイメージも相互相違な大きさを有するようになる。よって、このような不規則的なサムネールイメージは、イメージブラウジングの時、不必要なディスプレイ空間を占めると共に、特に、複数のサムネールイメージを同時に見てイメージブラウジングをする場合には、使用者に不便を与えることがあるという不都合な点があった。また、大きさが相違なサムネールイメージを人為的に増加させて同様なサムネールイメージ５１を作る場合には、元来イメージの比率が破壊されるために、使用者に拒否感を与えるという不都合な点があった。
【０００８】
本発明は、このような従来課題に鑑みてなされたもので、埋込みシステムによって容易に具現し得るサムネールイメージブラウジング方法を提供することを目的とする。
【０００９】
又、サムネールイメージのディスプレイ速度を向上し得るサムネールイメージブラウジング方法を提供することを目的とする。
【００１０】
又、ディスプレイ空間を効率的に使用し得るサムネールイメージブラウジング方法を提供することを目的とする。
【００１１】
又、元来のイメージの大きさに関係なく、同様な大きさのサムネールイメージを提供することで、使用者に親しみを与え得るサムネールイメージブラウジング方法を提供することを目的とする。
【００１２】
【課題を解決するための手段】
このような目的を達成するため、本発明に係る移動通信端末機のサムネールイメージブラウジング方法においては、受信された元来のイメージをメーンディレクトリに格納する過程と、元来のイメージからサムネールイメージを生成してサブディレクトリに格納する過程と、イメージブラウジングが実行されると、サブディレクトリに格納されたサムネールイメージをディスプレイする過程と、サムネールイメージが選択されると、メーンディレクトリに格納された元来のイメージをディスプレイする過程と、を順次行うことを特徴とする。
【００１３】
本発明の移動通信端末機のサムネールイメージブラウジング方法は、元来のイメージ（オリジナルイメージ）を受信する過程と、元来のイメージに同期化されるサムネールイメージを生成する過程と、イメージブラウジングが実行されると、前記生成されたサムネールイメージをディスプレイする過程と、を順次行うことを特徴とする。
【００１４】
上記ディスプレイされたサムネールイメージが選択されると、元来のイメージをディスプレイする過程が追加して行われることを特徴としてもよい。
【００１５】
上記同期化は、イメージの生成、移動及び消滅に対する同期化を示すことを特徴としてもよい。
【００１６】
上記同期化は、格納ファイル及び格納ディレクトリに対する同期化を示すことを特徴としてもよい。
【００１７】
上記サムネールイメージは、所定の模様及び大きさを有することを特徴としてもよい。
【００１８】
上記所定の模様は、正四角形であることを特徴としてもよい。
【００１９】
上記サムネールイメージの生成過程は、元来のイメージをメーンディレクトリに格納する過程と、該メーンディレクトリのサブディレクトリにサムネールイメージが存在するかをチェックする過程と、サムネールイメージが存在しないと、元来のイメージから正四角形のサムネールイメージを生成する過程と、生成されたサムネールイメージをサブディレクトリに格納する過程と、を順次行うことを特徴としてもよい。
【００２０】
上記サブディレクトリにサムネールイメージが存在すると、重畳格納を行うかを聞くメッセージをディスプレイする過程と、使用者から重畳格納命令が入力されると、新しいサムネールイメージを生成してサブディレクトリに格納する過程と、が追加して包含されることを特徴としてもよい。
【００２１】
上記元来のイメージが０．０５Ｙ＜（Ｙ−Ｘ）の場合は、上方側から５％を切断し、残りの必要な部分を下方側から切断して正四角形のサムネールイメージを生成する（ここで、Ｘは横を、Ｙは縦を夫々示す）ことを特徴としてもよい。
【００２２】
上記元来のイメージが０．０５Ｙ＞（Ｙ−Ｘ）の場合は、下方側を切断して正四角形のサムネールイメージを生成する（ここで、Ｘは横を、Ｙは縦を夫々示す）ことを特徴としてもよい。
【００２３】
上記サムネールイメージディスプレイ過程は、イメージブラウジングを実行する元来のイメージファイルをメーンディレクトリから選択する過程と、選択された元来のイメージファイルに対するサムネールファイルがサブディレクトリに存在するかをチェックする過程と、サムネールファイルが存在すると、該当のサムネールファイルをデコーディングしてサムネールイメージをディスプレイする過程と、を順次行うことを特徴としてもよい。
【００２４】
上記サムネールファイルが存在しないと、新しいサムネールイメージを生成してサブディレクトリに格納する過程が追加して包含されることを特徴としてもよい。
【００２５】
受信された元来のイメージをメーンディレクトリに格納する過程と、元来のイメージからサムネールイメージを生成してサブディレクトリに格納する過程と、イメージブラウジングが実行されると、サブディレクトリに格納されたサムネールイメージをディスプレイする過程と、サムネールイメージが選択されると、メーンディレクトリに格納された元来のイメージをディスプレイする過程と、を順次行うことを特徴としてもよい。
【００２６】
上記サムネールイメージは、元来のイメージが生成、移動及び消滅されると、自動に生成、移動及び消滅されることを特徴としてもよい。
【００２７】
上記サムネールイメージは、所定の模様及び大きさを有することを特徴としてもよい。
【００２８】
上記所定の模様は、正四角形であることを特徴としてもよい。
【００２９】
上記サムネールイメージ格納過程は、元来のイメージをメーンディレクトリに格納する過程と、前記メーンディレクトリのサブディレクトリにサムネールイメージが存在するかをチェックする過程と、サムネールイメージが存在しないと、元来のイメージから正四角形のサムネールイメージを生成する過程と、該生成されたサムネールイメージをサブディレクトリに格納する過程と、を順次行うことを特徴としてもよい。
【００３０】
上記サブディレクトリにサムネールイメージが存在すると、重畳格納をすべきかを問うメッセージをディスプレイする過程と、重畳格納命令が入力されると、新しいサムネールイメージを生成して前記サブディレクトリに格納する過程と、が追加して包含されることを特徴してもよい。
【００３１】
上記サムネールイメージディスプレイ過程は、メーンディレクトリでイメージブラウジングを実行する元来のイメージファイルを選択する過程と、該選択された元来のイメージファイルのサムネールファイルがサブディレクトリに存在するかをチェックする過程と、サムネールファイルが存在すると、該当サムネールファイルをデコーディングしてサムネールイメージをディスプレイする過程と、を順次行うことを特徴してもよい。
【００３２】
上記サムネールファイルが存在しないと、新しいサムネールイメージを生成してサブディレクトリに格納する過程が追加して包含されることを特徴としてもよい。
【００３３】
【発明の実施の形態】
以下、本発明の好ましい実施形態に対し、説明する。
【００３４】
本発明に係る移動通信端末機のサムネールイメージブラウジング方法においては、リソースの不足したシステムでサムネールイメージブラウジングを具現するために元来のイメージが入力される都度、サムネールイメージを別途に生成及び格納して、イメージブラウジングの時、元来のイメージをデコーディングすることなく、前記格納されたサムネールイメージをデコーディングしてディスプレイする。特に、本発明は、元来のイメージとサムネールイメージとを別途に生成して管理することで、元来のイメージ及びサムネールイメージを相互同期化されるように設定する。
【００３５】
この時、上記同期化は、イメージファイルの生成、削除及び移動に対する同期化を示すが、例えば、元来のイメージが生成及び削除されると、サムネールイメージも生成及び削除されて、元来のイメージが他の目録のディレクトリに移動するか又はファイル名が変更されると、サムネールイメージのディレクトリ及びファイル名も変更される。
【００３６】
本発明に係る移動通信端末機のサムネールイメージブラウジング方法においては、図１に示したように、イメージのダウンロード、イメージの撮影及び電子メールの受信等によりイメージ受信イベントが発生されると、移動通信端末機（以下、端末機と略称す）は、受信された元来のイメージを格納すると同時に（Ｓ１００）、元来のイメージから所定大きさのサムネールイメージを生成して格納する（Ｓ１１０）。
【００３７】
この時、元来のイメージ及びサムネールイメージのファイル名及び格納場所は相互同期化して設定されるが、例えば、元来のイメージのファイル名が”Ｆｒｅｄ．ｊｐｇ”であると、サムネールイメージのファイル名は”ｓ＿Ｆｒｅｄ．ｊｐｇ”に設定されて、元来のイメージの格納ディレクトリ（メーンディレクトリ）が”＼Ｉｍａｇｅ＼”であると、サムネールイメージの格納ディレクトリ（サブディレクトリ）は”＼Ｉｍａｇｅ＼ｓＩｍａｇｅ＼”になる。
【００３８】
次いで、使用者によりサムネールイメージブラウジングが実行されると、端末機は元来のイメージでなくサブディレクトリに格納されたファイルをデコーディングしてサムネールイメージを画面にディスプレイする（Ｓ１２０、Ｓ１３０）。次いで、イメージブラウジング途中に使用者が該当のサムネールイメージを選択すると、端末機はメーンディレクトリに格納されたファイルをデコーディングして元来のイメージをディスプレイする（Ｓ１４０、Ｓ１５０）。
【００３９】
以下、このようなサムネールイメージの生成過程について詳しく説明する。即ち、図２に示したように、イメージ受信イベントが発生されると、端末機は受信された元来のイメージをメーンディレクトリに格納する（Ｓ１０）。ここで、説明の便宜上、元来のイメージの格納ファイル及びメーンディレクトリは、夫々”Ｆｒｅｄ．ｊｐｇ”及び”＼Ｉｍａｇｅ＼”に仮定する。
【００４０】
次いで、元来のイメージがメーンディレクトリ（＼Ｉｍａｇｅ＼）に格納されると、端末機はメーンディレクトリ（＼Ｉｍａｇｅ＼）のサブディレクトリにサムネールファイルが存在しているかをチェックする（Ｓ１１）。この時、上記サムネールイメージの格納ファイル及びサブディレクトリは、夫々”ｓ＿Ｆｒｅｄ．ｊｐｇ”及び”／Ｉｍａｇｅ／ｓＩｍａｇｅ／）である。
【００４１】
若し、サブディレクトリにサムネールファイル（ｓ＿Ｆｒｅｄ．ｊｐｇ）が存在しないと、端末機は元来のイメージからサムネールイメージを生成して、サムネールファイル（ｓ＿Ｆｒｅｄ．ｊｐｇ）が存在すると、端末機は使用者に”重畳格納（Ｏｖｅｒ　ｗｒｉｇｈｔ）メッセージ”を出力した後、重畳格納が承認される時、新しいサムネールイメージを生成する（Ｓ１２、Ｓ１３）。
【００４２】
本発明は、サムネールイメージを生成するために元来のイメージを三つの形態として、縦Ｙが横Ｘより長いイメージ、横が縦より長いイメージ及び正四角形のイメージに区分される。前記縦が横より長いイメージは、主に人物写真であって、風景写真の場合は、長い物体を拡大して撮影する可能性が多い。
【００４３】
従って、本発明に係る移動通信端末機のサムネールイメージブラウジング方法においては、図３（ａ）に示したように、０．０５Ｙ＜（Ｙ−Ｘ）のように縦が横より長いイメージは、上方側から５％を切断し、下方側から残りの必要な部分を切断して正四角形のイメージを作り、０．０５Ｙ＞（Ｙ−Ｘ）のように殆ど正四角形のイメージは、そのまま下方側のみを切って正四角形のイメージを作る。
【００４４】
又、図３（ｂ）に示したように、横が縦より長いイメージは、大部分中央に重要な物体があるために、左右を夫々（Ｘ−Ｙ）／２ずつ切断して正四角形のイメージを作り、且つ、図３（ｃ）に示したように、最初から正四角形のイメージは別途の処理を遂行しない。
【００４５】
このように、正四角形の元来のイメージが生成されると、端末機は該当の正四角形の元来のイメージを処理して正四角形のサムネールイメージを生成した後、これをサブディレクトリに格納する。
【００４６】
本発明に係るサムネールイメージのブラウジング過程においては、図４に示したように、使用者が特定ファイル、例えば、ファイル（Ｆｒｅｄ．ｊｐｇ）に対するサムネールイメージブラウジングを実行すると（Ｓ２０）、端末機はサブディレクトリ（／Ｉｍａｇｅ／ｓＩｍａｇｅ）にサムネールファイル（ｓ＿Ｆｒｅｄ．ｊｐｇ）が存在するかをチェックし（Ｓ２１）、このようなチェック動作は、一種のエラーチェックに該当する。
【００４７】
若し、サブディレクトリ（／Ｉｍａｇｅ／ｓＩｍａｇｅ）にサムネールファイルが存在しないと、新しいサムネールイメージを生成してサブディレクトリ（／Ｉｍａｇｅ／ｓＩｍａｇｅ）に格納し（Ｓ２２）、サムネールファイルが存在すると、”ｓ＿Ｆｒｅｄ．ｊｐｇ”ファイルをデコーディングしてサムネールイメージをディスプレイする（Ｓ２３、Ｓ２４）。
【００４８】
【発明の効果】
以上説明したように、本発明に係る移動通信端末機のサムネールイメージブラウジング方法においては、元来のイメージが入力される都度、サムネールイメージを別途に生成又は格納して、イメージブラウジングの時、前記格納されたサムネールイメージをディスプレイするため、リソースが不足したシステムでサムネールイメージブラウジングを容易に具現し得るという効果がある。
【００４９】
又、本発明に係る移動通信端末機のサムネールイメージブラウジング方法においては、イメージブラウジングの時、元来のイメージでなくサムネールメールイメージをデコーディングしてディスプレイするので、計算量が１０−２０倍以上低減されて、一層迅速にサムネールイメージをディスプレイすることができるし、少ない容量のメモリーでもサムネールイメージを格納し得るという効果がある。
【００５０】
さらに、本発明に係る移動通信端末機のサムネールイメージブラウジング方法においては、大きさが相違な元来のイメージから正四角形のサムネールイメージを生成するため、イメージブラウジングの時、使用者に親しみを与えることができるし、ディスプレイ空間を効率的に使用し得るという効果がある。
【図面の簡単な説明】
【図１】本発明に係る移動通信端末機のサムネールイメージブラウジング方法を示したフローチャートである。
【図２】本発明に係るサムネールイメージの生成過程を示したフローチャートである。
【図３】（Ａ）乃至（Ｃ）は、大きさが相違な元来のイメージから正四角形のサムネールイメージを作る過程を示したチャートである。
【図４】本発明に係るサムネールイメージディスプレイ過程を示したフローチャートである。
【図５】従来のサムネールブラウジング方法を示したチャートである。
【符号の説明】
５０、５１：サムネールイメージ
【図１】
2004004726.tif 000003
【図２】
2004004726.tif 000004
【図３】
2004004726.tif 000005
【図４】
2004004726.tif 000006
【図５】
2004004726.tif 000007